【事件の表示】
　特願２００７−１２２３９８号「浴室用換気装置」拒絶査定不服審判事件〔平成１９年　８月１６日出願公開、特開２００７−２０５７１３号〕について、次のとおり審決する。
【結　論】
　本件審判の請求は、成り立たない。
【理　由】
第１　手続の経緯
　本願は、平成１４年７月１日に出願した特願２００２−１９２３２３号（以下「原出願」という）の一部を平成１９年５月７日に新たな特許出願としたものであって、平成２１年５月８日付けで拒絶査定がされ、この査定に対し、平成２１年８月１２日に本件審判請求とともに、手続補正（誤記の訂正を目的としたもの。）がなされたものである。
　
第２　本願発明について
１．本願発明
　本件出願の請求項１に係る発明は、平成２１年８月１２日付け手続補正書により補正された特許請求の範囲の請求項１に記載された事項により特定されるものと認められるところ、請求項１に係る発明（以下「本願発明」という。）は、次のとおりである。
「【請求項１】
　底面に浴室内の空気を吸い込むための吸込開口と他の室内の空気を吸い込むための吸込口とを設けるとともに、これら吸い込んだ空気を排気するための排気口を設けた本体ケースと、
　前記吸込開口および吸込口から吸い込んだ空気を前記排気口へ排気させる送風手段と、
　この送風手段を回転させるモータとを有し、前記他の室内に連通するダクトを接続するダクトジョイントを前記吸込口に設けた浴室換気装置であって、
　この浴室換気装置を動作させるための操作部と、
　前記吸込開口に設けられこの吸込開口の開度を調整するダンパーと、
　前記ダクトジョイント内に設けられ前記吸込口の開度を調整するダンパーと、
  前記モータ、前記吸込開口のダンパーを回動させる吸込開口用のモータおよび前記吸込口のダンパーを回動させる吸込口用のモータを制御する制御装置とを備え、
　この制御装置は、前記操作部の操作、他の室の照明スイッチまたは換気スイッチの操作に応じて、
　前記吸込開口用のモータを制御して前記吸込開口のダンパーを予め設定した開度に調整するとともに、
　前記浴室および他の室の換気量が適正量となるように、前記送風手段のモータを制御し、且つ前記吸込口のダンパーの開度を調整することを特徴とする浴室換気装置。」
　
２．引用刊行物とその記載事項
（１）原査定の拒絶の理由に引用された、原出願の出願前に頒布された刊行物である特開平６−６６４３８号公報（以下「刊行物１」という。）には、複数の換気場所にそれぞれ吸気路を介して接続された換気装置に関し、図面とともに、次の技術的事項が記載されている。
　（ア）「【０００１】
【産業上の利用分野】この発明は、複数の換気場所にそれぞれ吸気路を介して接続された換気装置に関する。」
　（イ）「【０００２】
【従来の技術】例えば実開昭６１−１８６０４０号公報に示されているような従来の換気装置は、箱体に送風装置が設けられて箱体の下面に開口した吸気孔から箱体が設置された室内の空気が吸気される。そして、箱体の側面に設けられた吸気路により他の室内の空気が吸気され、送風装置から屋外へ排気されるようになっている。
【０００３】従来の送風装置は上記のように構成されて１つの送風装置により２つの部屋が換気される。また、排気側は吸気側に比べて長いダクトが設けられるのが一般的であって、屋外の風の影響により静圧が印加され易く静圧を考慮した風量によって送風装置が運転される。そして、吸気側の２室は換気装置を運転すれば同時に換気され、その風量の配分は送風装置とそれぞれの部屋の間の吸気路を構成する部材の通気抵抗により案分される。」
　（ウ）「【００１０】この発明は、かかる問題点を解消するためになされたものであり、この発明の第１の目的は複数の換気場所それぞれに対応した吸気部を、所要換気量に合わせて容易に設定できる換気装置を得ることにある。また、この発明の第２の目的は排気路抵抗及び外風の影響に関わらず所要換気量により換気できる換気装置を得ることにある。また、この発明の第３の目的は複数の換気場所の内、換気を要する換気場所のみをその換気場所の所要換気量により換気できる換気装置を得ることにある。また、この発明の第４の目的は通気路の適所の圧力検出により適正に風量を検出できる換気装置を得ることにある。また、この発明の第５の目的は換気装置側の圧力検出器により風量を検出する換気装置を得ることにある。」
　（エ）「【００２２】また、この発明の請求項４記載の発明に係る換気装置は、それぞれの換気場所の所要換気量に応じて、対応した吸気路の開口面積が換気調整板によりそれぞれの換気場所に対して設定される。これと共に、圧力検出器の出力により送風装置の吸気口近くの圧力が基準圧力から所定値を越えて外れたときに送風装置の電動機が制御されて所要換気量が維持される。」
　（オ）「【００２７】
【実施例】
実施例１．図１〜図３はこの発明の一実施例を示す図で、図１は換気装置の斜視図、図２は図１の要部縦断面図、図３は図１の箱体の吸気路接続部を形成する接続具及び換気調整板の拡大斜視図である。図において、(1)は換気装置の箱体、(2)は箱体(1)に設けられて吸気口(3)が箱体(1)内に開口した送風装置、(4)は送風装置(2)の電動機、(5)は送風装置(2)の羽根、(6)は送風装置(2)の排気口、(7)は排気口(6)に接続されたダクトからなる排気路、(8)は箱体(1)に設けられた複数の吸気開口部で、箱体(1)側面の三方に設けられている。
【００２８】(9)は吸気開口部(8)に設けられた接続具、(10)は接続具(9)を介して箱体(1)に接続されたダクトからなる第１吸気路で、図示が省略してあるが適宜な部屋からなる第１換気場所に連通されている。(11)は接続具(9)を介して箱体(1)に接続されたダクトからなる第２吸気路で、図示が省略してあるが適宜な部屋からなる第２換気場所に連通されている。(12)は接続具(9)を介して箱体(1)に接続されたダクトからなる第３吸気路で、図示が省略してあるが適宜な部屋からなる第３換気場所に連通されている。
【００２９】(13)は箱体(1)と接続具(9)の間に介装されて吸気開口部(8)を覆うように装着され、第１換気場所の所要換気量に応じた開口面積の開口部が形成されて第１吸気路(10)に配置された第１換気調整板、(14)は箱体(1)と接続具(9)の間に介装されて吸気開口部(8)を覆うように装着され、第２換気場所の所要換気量に応じた開口面積の開口部が形成されて第２吸気路(11)に配置された第２換気調整板、(15)は箱体(1)と接続具(9)の間に介装されて吸気開口部(8)を覆うように装着され、第３換気場所の所要換気量に応じた開口面積の開口部が形成されて第３吸気路(10)に配置された第３換気調整板である。
【００３０】(16)は第１換気調整板(13)〜第３換気調整板(15)縁部にそれぞれ形成されて接続具(9)のフランジ部と対向した装着構造で、第１吸気路(10)〜第３吸気路(12)それぞれに共用可能に構成されている。(17)は第１吸気路(10)〜第３吸気路(12)それぞれの端部に接続されて第１換気場所〜第３換気場所に配置されたグリル箱、(18)は箱体(1)の底部に設けられたドレン排出管、(19)は接続具(9)内にそれぞれ設けられたダンパーである。
【００３１】上記のように構成された換気装置において、換気場所の所要換気量に応じた開口面積の開口部がそれぞれ形成されて吸気路(10)〜(12)にそれぞれ配置された第１換気調整板(13)〜第３換気調整板(15)が設けられる。これによって、複数の換気場所に対する換気風量の配分が換気場所それぞれの吸気路の構成によって決まるものの、第１換気調整板(13)〜第３換気調整板(15)により各換気場所に対する所要換気量に対して安定状態に適正配分することができる。」
　（カ）「【００３３】実施例２．図４〜図８はこの発明の他の実施例を示す図で、図４は実施例１の図２相当拡大図、図５は図４の縮小平面図、図６は図４の圧力検出器の出力特性図、図７は図４の構成における換気風量と換気装置内外の静圧差に関する特性図、図８は図４の機器の接続を概念的に示すブロック線図である。図において、図１〜図３と同符号は相当部分を示し、(20)は排気路(7)の屋外側端部に設けられた屋外フード、(21)は箱体(1)、グリル箱(17)を換気場所の天井に吊持した吊りボルト、(22)はグリル箱(17)の換気場所側端部に装着された吸気グリルである。
【００３４】(23)は箱体(1)に設けられて箱体(1)内の吸気開口部(8)寄りに開口した圧力検出通気路、(24)は圧力検出通気路(23)の奥に設けられた圧力検出器で、箱体(1)内の吸気開口部(8)寄り空間と箱体(1)外空間の圧力差を検出し、印加された圧力差に対して図６に示すような電気出力特性を備えている。(25)〜(27)はそれぞれ閉位置で小さい通気部を形成するダンパーで、(25)は第１吸気路(10)のグリル箱(17)に設けられた第１ダンパー、(26)は第２吸気路(11)のグリル箱(17)に設けられた第２ダンパー、(27)は第３吸気路(12)のグリル箱(17)に設けられた第３ダンパーである。」
　（キ）「【００３５】(28)は第１換気場所に対応した第１換気信号発生手段、(29)は第２換気場所に対応した第２換気信号発生手段、(30)は第３換気場所に対応した第３換気信号発生手段、(31)は第１ダンパー(25)に対応した第１ダンパー駆動手段、(32)は第２ダンパー(26)に対応した第２ダンパー駆動手段、(33)は第３ダンパー(27)に対応した第３ダンパー駆動手段、(34)は圧力検出器(24)を含む圧力検出手段、(35)は基準圧力信号が任意に設定される基準圧力設定手段、(36)は圧力検出手段(34)の出力と基準圧力設定手段(35)の出力を比較する比較手段、(37)は比較手段(36)に接続された駆動信号発生手段、(38)は比較手段(36)と駆動信号発生手段(37)を有する制御装置、(39)は送風装置(2)の電動機(4)に接続された電動機駆動手段である。」
　（ク）「【００３９】このように、箱体(1)内の吸気開口部(8)寄り空間と換気場所の静圧差を一定に保つことにより、対応した第１ダンパー(25)〜第３ダンパー(27)を開放した換気場所の換気風量は、他の換気場所のダンパーの開閉に関わらず常に一定となる。」
　（ケ）「【００４０】以上のような換気機能を得る図４〜図８の実施例の動作を図８によって説明する。すなわち、換気場所に対応した第１換気信号発生手段(28)〜第３換気信号発生手段(30)が動作すると対応した第１ダンパー駆動手段(31)〜第３ダンパー駆動手段(33)が付勢される。これにより、付勢されたダンパー駆動手段に対応した第１ダンパー(25)〜第３ダンパー(27)が動作する。また、圧力検出手段(34)により第１ダンパー(25)〜第３ダンパー(27)の開閉、電動機(4)の出力、及び送風装置(2)の排気側での圧力変化を検出し、その圧力信号が比較手段(36)に入力される。そして、基準圧力設定手段(35)に設定された基準圧力信号と圧力検出手段(34)の圧力信号の両者が比較手段(36)により判定される。この判定により、上記両者の差が予め設定された所定範囲内におさまるような比較信号を駆動信号発生手段(37)に入力する。
【００４１】そして、比較信号に基づいて駆動信号発生手段(37)から電動機(4)出力を調整する駆動信号が電動機駆動手段(39)に入力され、駆動信号により電動機駆動手段(39)によって電動機(4)に供給する電力が調整されて電動機(4)の出力が調整される。なお、図８の点線の信号は、第１ダンパー(25)〜第３ダンパー(27)の開閉、送風装置(2)の排気側での排気路(7)の抵抗、外風圧力等の通風抵抗による圧力信号の流れ、及び電動機(4)出力の変化による圧力信号の流れを表しており、これらの信号は全て圧力検出手段(34)にフィードバックされることを示している。
【００４２】上記のように構成された換気装置において、圧力検出器(24)の出力が基準圧力設定手段(35)の設定圧力とほぼ一致するように電動機(4)の出力を制御する。これにより、送風装置(2)の排気路(7)側の抵抗及び外風の影響を受けることなく所定圧力に相当する風量により過不足なく安定して換気場所を換気する作用を得ることができる。」
　（コ）「【００４３】また、第１ダンパー駆動手段(31)〜第３ダンパー駆動手段(33)は送風装置(2)の制御部と電気的に独立して構成され、圧力検出器(24)の出力の変化によって連動して動作するようになっている。」
　
　（サ）記載事項（ケ）の動作は、第１換気信号発生手段、第２換気信号発生手段の動作に起因して要約すると、
「第１，第２換気信号発生手段が動作すると、対応した第１，第２ダンパー駆動手段(31),(32)が付勢され、対応した第１，第２ダンパーが動作し、圧力検出手段(34)により第１，第２ダンパーの開閉、電動機(4)の出力、及び送風装置(2)の排気側での圧力変化を検出し、
基準圧力設定手段(35)に設定された基準圧力信号と圧力検出手段(34)の圧力信号の差が予め設定された所定範囲内におさまるように電動機(4)の出力が調整される」ものといえる。
　
　すると、実施例２の換気装置に着目して、刊行物１には、次の発明（以下「引用発明」という。）が開示されているものということができる。
　「第１換気場所の空気を吸い込むための吸気開口部(8)と第２換気場所の空気を吸い込むための吸気開口部(8)とを設けるとともに、これら吸い込んだ空気を排気するための排気口(6)を設けた箱体(1)と、
　前記第１換気場所の空気を吸い込むための吸気開口部(8)および第２換気場所の空気を吸い込むための吸気開口部(8)から吸い込んだ空気を前記排気口(6)へ排気させる羽根(5)と、
　この羽根(5)を回転させる電動機(4)とを有し、前記第２換気場所に連通するダクトからなる第２吸気路(11)を接続する接続具(9)を前記第２換気場所の空気を吸い込むための吸気開口部(8)に設けた換気装置であって、
　第１換気場所に対応した第１換気信号発生手段(28)と、
　第２換気場所に対応した第２換気信号発生手段(29)と、
　箱体(1)と接続具(9)の間に介装されて吸気開口部(8)を覆うように装着され、第１換気場所の所要換気量に応じた開口面積の開口部が形成されて第１吸気路(10)に配置された第１換気調整板(13)と、
　第１吸気路(10)のグリル箱(17)に設けられた第１ダンパー(25)と、
　箱体(1)と接続具(9)の間に介装されて吸気開口部(8)を覆うように装着され、第２換気場所の所要換気量に応じた開口面積の開口部が形成されて第２吸気路(11)に配置された第２換気調整板(14)と、
　第２吸気路(11)のグリル箱(17)に設けられた第２ダンパー(26)と、
　第１ダンパー駆動手段(31)、第２ダンパー駆動手段(32)、電動機駆動手段(39)とを備え、
　第１，第２換気信号発生手段が動作すると、対応した第１，第２ダンパー駆動手段(31),(32)が付勢され、対応した第１，第２ダンパーが動作し、圧力検出手段(34)により第１，第２ダンパーの開閉、電動機(4)の出力、及び送風装置(2)の排気側での圧力変化を検出し、基準圧力設定手段(35)に設定された基準圧力信号と圧力検出手段(34)の圧力信号の差が予め設定された所定範囲内におさまるように電動機(4)の出力が調整される動作を行う換気装置。」
　
（２）原査定の拒絶の理由に引用された、原出願の出願前に頒布された刊行物である特開平８−１５９５３２号公報（以下「刊行物２」という。）には、複数の部屋の空気を外部に排出するための換気扇における排気風量を設定風量に維持する換気扇の風量制御装置に関し、図面とともに、次の技術的事項が記載されている。
　（ア）「【０００４】
【発明が解決しようとする課題】しかしながら、上記従来例のものでは、各部屋からの吸込量は換気扇の据付時に設定されてしまうので、換気扇の据付後に配管工事を行ったときは各部屋からの吸込量が変動してしまうことがある。このため、二部屋用の換気扇の場合には、一方の部屋からの吸込量が設定風量が大きくなるのに対して、他方の部屋からの吸込量が設定風量よりも少なくなって換気不足となるという欠点がある。
【０００５】本発明は上記事情に鑑みてなされたもので、その目的は、吸込口に対応した換気扇の負荷量が変動した場合であっても、各部屋からの吸込量を設定風量に維持することができる換気扇の風量制御装置を提供することにある。」
　（イ）「【００２０】
【実施例】以下、本発明を２方向吸気の中間形ダクト用換気扇に適用した第１実施例を図１乃至図１０を参照して説明する。図２は部屋としての浴室及び洗面所の断面を示している。・・・
【００２１】図３は換気扇本体３を示している。この図３において、換気扇本体３の第１及び第２の吸込口４及び５には開閉手段としてのダンパ１１，１２が夫々設けられており、そのダンパ１１，１２により各吸込口４，５の開口面積が独立して調整されるようになっている。」
　（ウ）「【００４０】・・・第１及び第２の吸込口４及び５に設けられた第１及び第２のダンパ１１及び１２の開度を調整することにより各吸込口４，５の吸込量が設定風量となるように調整するようにした・・・」
　（エ）「【００４３】図１１乃至図１４は本発明を二部屋用換気扇に適用した第２実施例を示しており、第１実施例と同一部分には同一符号を付して説明を省略し、異なる部分についてのみ説明する。図１１に示すように浴室１の天井裏には二部屋用ダクト用換気扇３３が据付けられている。この換気扇３３の換気扇本体３４の下面には主吸込口３５が設けられており、その主吸込口３５は浴室１と直接連通している。また、換気扇本体３４の側面には副吸込口３６及び排気口３７が夫々設けられており、副吸込口３６はダクト６を通じて洗面所７と連通し、排気口３７はダクト１０を通じて屋外と連通している。」
　
３．本願発明と引用発明との対比
（１）両発明の対応関係
(a)引用発明の「排気口(6)」は、本願発明の「排気口」に相当し、以下同様に、「箱体(1)」は「本体ケース」に「羽根(5)」は「送風手段」に、「電動機(4)」は「モータ」に、「接続具(9)」は「ダクトジョイント」に相当する。
(b)引用発明の「第１換気場所」と、本願発明の「浴室」とは、前者が、記載事項（オ）の「適宜な部屋からなる第１換気場所」であって、室といえるものであるので、一の室である点で共通する。
　そして、引用発明の「第１換気場所の空気を吸い込むための吸気開口部(8)」と、本願発明の「浴室内の空気を吸い込むための吸込開口」とは、「一の室内の空気を吸い込むための吸込開口」である点で共通する。
　また、引用発明の「第２換気場所」と、本願発明の「他の室」とは、前者が、第１換気場所と区別された場所であるので、「他の場所」である点で共通する。
　そして、引用発明の「第２換気場所の空気を吸い込むための吸気開口部(8)」と、本願発明の「他の室内の空気を吸い込むための吸込口」とは、「他の場所の空気を吸い込むための吸込口」である点で共通する。
　そうすると、引用発明の「第１換気場所の空気を吸い込むための吸気開口部(8)と第２換気場所の空気を吸い込むための吸気開口部(8)とを設けるとともに、これら吸い込んだ空気を排気するための排気口(6)を設けた箱体(1)」と、本願発明の「底面に浴室内の空気を吸い込むための吸込開口と他の室内の空気を吸い込むための吸込口とを設けるとともに、これら吸い込んだ空気を排気するための排気口を設けた本体ケース」とは、「一の室内の空気を吸い込むための吸込開口と他の場所の空気を吸い込むための吸込口とを設けるとともに、これら吸い込んだ空気を排気するための排気口を設けた本体ケース」である点で共通する。
(c)引用発明の「第２換気場所に連通するダクトからなる第２吸気路(11)」の「ダクト」と、本願発明の「他の室内に連通するダクト」とは、「他の場所に連通するダクト」である点で共通する。
(d)引用発明の「換気装置」と、本願発明の「浴室換気装置」とは、換気装置である点で共通する。
(e)引用発明の「第１換気場所に対応した第１換気信号発生手段(28)」と、本願発明の「この浴室換気装置を動作させるための操作部」とは、前者が動作することによって、記載事項（ケ）の「対応した第１ダンパー駆動手段(31)〜第３ダンパー駆動手段(33)が付勢され」、「電動機(4)の出力が調整され」、結果として「換気場所を換気する作用を得ることができる」ものであって、換気装置を動作させる一の信号発生手段といえるものであるので、換気装置を動作させるための一の信号発生手段である点で共通する。
(f)引用発明の「第１吸気路(10)のグリル箱(17)に設けられた第１ダンパー(25)」と、本願発明の「前記吸込開口に設けられこの吸込開口の開度を調整するダンパー」とは、吸込開口を開閉するダンパーである点で共通する。
(g)引用発明の「第２吸気路(11)のグリル箱(17)に設けられた第２ダンパー(26)」と、本願発明の「前記ダクトジョイント内に設けられ前記吸込口の開度を調整するダンパー」とは、吸込口を開閉するダンパーである点で共通する。
(h)引用発明の「第１，第２換気信号発生手段が動作すると、対応した第１，第２ダンパー駆動手段(31),(32)が付勢され、対応した第１，第２ダンパーが動作し、圧力検出手段(34)により第１，第２ダンパーの開閉、電動機(4)の出力、及び送風装置(2)の排気側での圧力変化を検出し、基準圧力設定手段(35)に設定された基準圧力信号と圧力検出手段(34)の圧力信号の差が予め設定された所定範囲内におさまるように電動機(4)の出力が調整される動作を行う」ことと、本願発明の「制御装置」の「前記モータ、前記吸込開口のダンパーを回動させる吸込開口用のモータおよび前記吸込口のダンパーを回動させる吸込口用のモータを制御する」とは、刊行物１の図４を見ると、前者の「第１，第２ダンパー駆動手段(31),(32)」の駆動がダンパーの回動であることが明らかであり、かつ、前者の動作が「第１，第２換気信号発生手段」の動作に起因して、「第１，第２ダンパー駆動手段(31),(32)」が付勢され、「電動機(4)」の出力が調整されるものであって、電動機、第１ダンパー駆動手段、第２ダンパー駆動手段を制御する動作といえるものであるので、両者は、モータ、吸込開口のダンパーを回動させる吸込開口用の駆動手段および前記吸込口のダンパーを回動させる吸込口用の駆動手段を制御する点で共通する。
(i)引用発明の「第２換気信号発生手段」と、本願発明の「他の室の照明スイッチまたは換気スイッチ」とは、前者が前記(e)の第１換気信号発生手段(28)とは別のものであるので、両者は、別の信号発生手段である点で共通する。
　また、引用発明の「第１，第２換気信号発生手段が動作すると対応した第１，第２ダンパー駆動手段(31),(32)が付勢され、対応した第１，第２ダンパーが動作し、圧力検出手段(34)により第１，第２ダンパーの開閉、電動機(4)の出力、及び送風装置(2)の排気側での圧力変化を検出し、基準圧力設定手段(35)に設定された基準圧力信号と圧力検出手段(34)の圧力信号の差が予め設定された所定範囲内におさまるように電動機(4)の出力が調整される動作を行う」ことと、本願発明の「制御装置」の「前記操作部の操作、他の室の照明スイッチまたは換気スイッチの操作に応じて、
　前記吸込開口用のモータを制御して前記吸込開口のダンパーを予め設定した開度に調整するとともに、
　前記浴室および他の室の換気量が適正量となるように、前記送風手段のモータを制御し、且つ前記吸込口のダンパーの開度を調整する」こととは、前者の「第１，第２換気信号発生手段が動作」することで「第１，第２ダンパーが動作」するようにすることが、第１，第２換気信号発生手段でダンパを制御するといえるものであり、また、「電動機(4)の出力が調整される」も、「第１，第２換気信号発生手段が動作」することで、結果的にではあるが、電動機を制御しているといえるものであり、さらに、それらの動作は記載事項（ク）の「対応した第１ダンパー(25)〜第３ダンパー(27)を開放した換気場所の換気風量は、他の換気場所のダンパーの開閉に関わらず常に一定となる。」を意図したものであって、第１，第２換気場所の換気量が適正となるようにすることを意図したものであるので、両者は「一の信号発生手段の動作、別の信号発生手段の動作に応じて、
　吸込開口用の駆動手段を制御して吸込開口のダンパーを制御するとともに、
　一の室およびおよび他の場所の換気量が適正量となるように、送風手段のモータを制御し、且つ前記吸込口のダンパーを制御する」点で共通する。
　
（２）両発明の一致点
「一の室内の空気を吸い込むための吸込開口と他の場所の空気を吸い込むための吸込口とを設けるとともに、これら吸い込んだ空気を排気するための排気口を設けた本体ケースと、
　前記吸込開口および吸込口から吸い込んだ空気を前記排気口へ排気させる送風手段と、
　この送風手段を回転させるモータとを有し、前記他の場所に連通するダクトを接続するダクトジョイントを前記吸込口に設けた換気装置であって、
　この換気装置を動作させるための一の信号発生手段と、
　吸込開口を開閉するダンパーと、
　吸込口を開閉するダンパーと、
とを備え、
  モータ、吸込開口のダンパーを回動させる吸込開口用の駆動手段および前記吸込口のダンパーを回動させる吸込口用の駆動手段を制御し、
　その制御は、前記一の信号発生手段の動作、別の信号発生手段の動作に応じて、
　前記吸込開口用の駆動手段を制御して前記吸込開口のダンパーを制御するとともに、
　前記一の室および他の場所の換気量が適正量となるように、前記送風手段のモータを制御し、且つ前記吸込口のダンパーを制御するものである換気装置。」
　
（３）両発明の相違点
　（ア）本願発明は、「底面に浴室内の空気を吸い込むための吸込開口と他の室内の空気を吸い込むための吸込口とを設け」「た本体ケース」「を有し」、「他の室内に連通するダクトを接続するダクトジョイントを前記吸込口に設けた」「浴室換気装置」であって、空気を吸い込む場所を「浴室内」及び「他の室内」とし、さらに本体ケースを「底面に浴室内の空気を吸い込むための吸込開口」を設けたものとし、換気装置を「浴室換気装置」としているのに対して、引用発明はそうでない点。
　（イ）本願発明は、「この浴室換気装置を動作させるための操作部」「を備え」たものであって、換気装置を「浴室換気装置」とし、それを動作させるための信号発生手段を「操作部」としているのに対して、引用発明はそうでない点。
　（ウ）本願発明は、「前記吸込開口に設けられこの吸込開口の開度を調整するダンパー」と、「前記ダクトジョイント内に設けられ前記吸込口の開度を調整するダンパー」と、「 前記モータ、前記吸込開口のダンパーを回動させる吸込開口用のモータおよび前記吸込口のダンパーを回動させる吸込口用のモータを制御する制御装置」「とを備え」、「制御装置は、前記操作部の操作、他の室の照明スイッチまたは換気スイッチの操作に応じて、
　前記吸込開口用のモータを制御して前記吸込開口のダンパーを予め設定した開度に調整するとともに、
　前記浴室および他の室の換気量が適正量となるように、前記送風手段のモータを制御し、且つ前記吸込口のダンパーの開度を調整する」たものであるのに対して、引用発明は、「第１吸気路(10)のグリル箱(17)に設けられた第１ダンパー(25)」と、「第２吸気路(11)のグリル箱(17)に設けられた第２ダンパー(26)と」、「第１ダンパー駆動手段(31)、第２ダンパー駆動手段(32)、電動機駆動手段(39)」「とを備え」、「第１，第２換気信号発生手段が動作すると、対応した第１，第２ダンパー駆動手段(31),(32)が付勢され、対応した第１，第２ダンパーが動作し、圧力検出手段(34)により第１，第２ダンパーの開閉、電動機(4)の出力、及び送風装置(2)の排気側での圧力変化を検出し、基準圧力設定手段(35)に設定された基準圧力信号と圧力検出手段(34)の圧力信号の差が予め設定された所定範囲内におさまるように電動機(4)の出力が調整される動作を行う」ものである点
　
４．本願発明の容易推考性の検討
（１）相違点（ア）について
　換気装置が換気対象とする場所として、浴室、及び、洗面所等の他の室は、例えば刊行物２の記載事項（エ）に記載されているように、代表的なものの一つである。
　さらに、刊行物２の記載事項（エ）に「換気扇３３の換気扇本体３４の下面には主吸込口３５が設けられており、その主吸込口３５は浴室１と直接連通している」旨記載され、また、刊行物１の記載事項（イ）には、【従来の技術】として「箱体に送風装置が設けられて箱体の下面に開口した吸気孔から箱体が設置された室内の空気が吸気される。そして、箱体の側面に設けられた吸気路により他の室内の空気が吸気され、送風装置から屋外へ排気されるようになっている。」旨記載されている様に、換気装置として「底面に浴室内の空気を吸い込むための吸込開口」を有する形式のものも周知である。
　そして、第１換気場所として代表的な換気対象箇所である「浴室」を選択して、第２換気場所として「他の室」を選択するとともに、換気装置の形式を、該周知の形式に変更して、相違点（ア）に係る発明特定事項とすることは当業者が容易に想到し得たことである。
　
（２）相違点（イ）について
　まず、換気装置を制御する信号発生手段として、照明スイッチまたは換気スイッチ等の人が操作する部材（すなわち、操作部）は、例えば、特開平１０−１７００４１号公報【００１７】〜【００１９】【００５３】、特開平１０−３２５５８２号公報【００７６】、特開平１０−３１１５９３号公報【００１４】に示されているように、周知慣用のものにすぎない。
　そして、上記（１）に記載した様に、第１換気場所として「浴室」を選択するとともに、引用発明の換気装置の第１換気信号発生手段を、周知慣用の人が操作する部材（すなわち、操作部）として、相違点（イ）に係る発明特定事項とすることは当業者が適宜なし得たことである。
　
（３）相違点（ウ）について
　ア．[吸込開口に設けられこの吸込開口の開度を調整するダンパーに関して]
　(a)刊行物１の図４には第１ダンパー(25)が、空気を吸い込む開口を下方に有するグリル箱(17)の開口近傍に設けられた態様で記載されている。
　(b)そして、上記（１）に記載した様に換気装置を「底面に浴室内の空気を吸い込むための吸込開口」を設けた「浴室換気装置」とすることに伴って、上記(a)の空気を吸い込む開口を下方に有する箱体の開口近傍に設けられた第１ダンパー(25)を、空気を吸い込む開口である上記「底面」の「浴室内の空気を吸い込むための吸込開口」に設けたものとすることに特段の困難性は存在せず、引用発明の第１ダンパー(25)を、箱体(1)「底面」の「浴室内の空気を吸い込むための吸込開口」へ配置することは、上記（１）にともなって当業者が容易に想到し得たことである。
　(c)また、刊行物２の記載事項（ウ）には「開度を調整することにより各吸込口４，５の吸込量が設定風量となるように調整するようにした」第１及び第２のダンパ１１及び１２が記載されている。
　そして、該ダンパと、本願発明の「前記吸込開口に設けられこの吸込開口の開度を調整するダンパー」とは、「吸込開口の開度を調整するダンパー」である点で共通するものである。
　(d)そして、引用発明の「第１吸気路(10)に配置された第１換気調整板(13)」は、上記２．（１）記載事項（オ）の「第１換気調整板(13)〜第３換気調整板(15)により各換気場所に対する所要換気量に対して安定状態に適正配分することができる」ためのものであり、上記刊行物２の「吸込口４，５の吸込量が設定風量となるように調整する」機能は、それと共通するものであるので、引用発明の第１換気調整板を刊行物２記載の開度を調整するダンパに置換すると共に、冗長な構成を避けるために、第１ダンパー(25)と一体化することも当業者が容易に想到し得たことである。
　
　イ．[ダクトジョイント内に設けられ前記吸込口の開度を調整するダンパーに関して]
　(a)刊行物１の図２には、ダンパ(19)が接続具９（本願発明の「ダクトジョイント」に相当するもの）内に設けられた態様で記載されている。
　(b)そして、上記ダンパをダクトジョイント内に設ける態様は「この発明の実施例１を示す図」であって、引用発明を認定した実施例２の換気装置と関連の深いものであって、その構成要素には互換関係があると認識されるので、引用発明の第２ダンパー(26)をダクトジョイント内に設けたものとすることは当業者が適宜なし得たことである。
　(c)また、刊行物２の記載事項（ウ）には「開度を調整することにより各吸込口４，５の吸込量が設定風量となるように調整するようにした」第１及び第２のダンパ１１及び１２が記載されている。
　そして、該ダンパと、本願発明の「前記吸込開口に設けられこの吸込開口の開度を調整するダンパー」とは、「吸込開口の開度を調整するダンパー」である点で共通するものである。
　(d)そして、引用発明の「第２吸気路(11)に配置された第２換気調整板(14)」は、上記２．（１）記載事項（オ）の「第１換気調整板(13)〜第３換気調整板(15)により各換気場所に対する所要換気量に対して安定状態に適正配分することができる」ためのものであり、上記刊行物２の「吸込口４，５の吸込量が設定風量となるように調整する」機能は、それと共通するものであるので、引用発明の第２換気調整板を刊行物２記載の開度を調整するダンパに置換すると共に、冗長な構成を避けるために、第２ダンパー(26)と一体化することも当業者が容易に想到し得たことである。
　
　ウ．[吸込開口のダンパーを回動させる吸込開口用のモータ、および前記吸込口のダンパーを回動させる吸込口用のモータに関して]
　(a)換気装置のダンパー駆動手段として、「モータ」は、例えば、刊行物２、特開平１０−３２５５８２号公報【００５１】に示されているように、周知慣用のものにすぎない。
　(b)そして、引用発明の第１ダンパー駆動手段(31)及び第２ダンパー駆動手段(32)を、該周知慣用の「モータ」を用いて具現化することは当業者が適宜なし得たことである。
　
　エ．[制御装置を設けることに関して]
　換気装置に、一連の動作を実行させる制御装置を設けることは、慣用手段であり、引用発明の「第１，第２ダンパーが動作」や「電動機(4)の出力が調整される」動作を制御装置を設けて実行させることは当業者が適宜なし得たことである。
　
　オ．[「操作部の操作、他の室の照明スイッチまたは換気スイッチの操作」に応じて、「吸込開口用のモータを制御し」、「送風手段のモータを制御し」、「吸込口のダンパーの開度を調整する」ことに関して]
　(a)上記（２）に記載した様に、換気装置を制御する信号発生手段として、照明スイッチまたは換気スイッチ等の人が操作する部材（すなわち、操作部）は、周知慣用のものであり、さらに、照明スイッチまたは換気スイッチ等の操作部を各対応する部屋に設けることも、例えば、特開平１０−１７００４１号公報【００５３】、特開平１０−３１１５９３号公報【００１４】に示されているように、周知のことである。
　(b)そして、上記（２）に記載した様に、引用発明の換気装置の第１換気信号発生手段を、該周知慣用の人が操作する部材（すなわち、操作部）とするとともに、第２換気信号発生手段も該周知慣用の各対応する部屋に設ける照明スイッチまたは換気スイッチとすることは当業者が適宜なし得たことである。
　また、その様にすることに伴い、「第１，第２換気信号発生手段が動作する」ことが、「操作部の操作」や「他の室の照明スイッチまたは換気スイッチの操作」になることは自明である。
　(c)なお、引用発明の「第１，第２換気信号発生手段が動作すると対応した第１，第２ダンパー駆動手段(31),(32)が付勢され、対応した第１，第２ダンパーが動作し、圧力検出手段(34)により第１，第２ダンパーの開閉、電動機(4)の出力、及び送風装置(2)の排気側での圧力変化を検出し、基準圧力設定手段(35)に設定された基準圧力信号と圧力検出手段(34)の圧力信号の差が予め設定された所定範囲内におさまるように電動機(4)の出力が調整される動作を行う」は、第１，第２換気信号発生手段の動作で、第１，第２ダンパーが開閉し、その動作により生じる圧力変化が圧力検出手段で検出されることによって、結果的に電動機(4)の出力が調整されるものであって、「操作部の操作、他の室の照明スイッチまたは換気スイッチの操作に応じて」直接「送風手段のモータを制御」するものではない。
　しかし、上記特開平１０−１７００４１号公報、特開平１０−３２５５８２号公報、特開平１０−３１１５９３号公報もそうであるように、換気装置の各換気信号発生手段の操作に応じて、「直接」送風手段のモータを制御するように、換気信号発生手段とモータとを電気回路で接続する形態は、換気装置のモータの制御装置の基本的態様ともいえるものであり、引用発明の「電動機(4)の出力が調整される」動作を、「第１，第２換気信号発生手段が動作する」ことに応じて、直接なされるものとすること（すなわち、直接「送風手段のモータを制御する」ものとすること）も当業者が適宜なし得たことである。
　
　カ．[吸込開口用のモータを制御して前記吸込開口のダンパーを予め設定した開度に調整することに関して]
　(a)上記ウ．に記載した様に、第１，第２ダンパー駆動手段(31,32)を「モータ」とすることに伴い、引用発明のダンパーの動作が、「モータを制御して」行うものとなることは自明のことである。
　(b)また、上記ア．に記載した、「引用発明の第１換気調整板を刊行物２記載の開度を調整するダンパに置換すると共に、冗長な構成を避けるために、第１ダンパー(25)と一体化する」ことにともない、引用発明のダンパーの動作を、刊行物２の記載事項（ウ）の「各吸込口４，５の吸込量が設定風量」に対応した開度に開くものとして、「予め設定した開度に調整する」ものとすることも当業者が容易に想到し得たことである。
　
　キ．[相違点（ウ）全体について]
　そうすると、(a)上記ア．に記載した様に、引用発明の第１ダンパー(25)を換気装置「底面」の「浴室内の空気を吸い込むための吸込開口」に設けた「開度を調整するダンパー」とし、(b)上記イ．に記載した様に、引用発明の第２ダンパー(26)を「ダクトジョイント内」に設けた「開度を調整するダンパー」とし、(c)上記ウ．に記載した様に、引用発明の第１，第２ダンパー駆動手段(31,32)を「モータ」とし、(d)上記エ．に記載した様に、引用発明に制御装置を設け、(e)上記オ．に記載した様に、引用発明の「第１換気信号発生手段」を、操作部とするとともに、「第２換気信号発生手段」を各対応する部屋に設ける照明スイッチまたは換気スイッチとし、引用発明の「電動機(4)の出力が調整される」動作を「第１，第２換気信号発生手段が動作する」ことに応じて直接なされるものとし、(f)上記カ．に記載した様に、引用発明のダンパーの動作を「モータを制御して」「予め設定した開度に調整する」ものとし、全体として相違点（ウ）に係る発明特定事項とすることは当業者が容易に想到し得たことである。
　
（４）総合判断
 　そして、本願発明の作用効果は、引用発明、刊行物１記載の事項、刊行物２記載の事項、及び周知慣用事項から当業者であれば予測できた範囲のものである。 
 　したがって、本願発明は、引用発明、刊行物１記載の事項、刊行物２記載の事項、及び周知慣用事項に基づいて当業者が容易に発明をすることができたものである。 
　
５．むすび
　したがって、本願発明については、特許法第２９条第２項の規定により特許を受けることができない。
　そうすると、本願は拒絶されるべきものである。
　よって、結論のとおり審決する。